【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
転写フィルム、特に、ホットスタンピングフィルムであって、
キャリア層に分離可能に配置された転写層を備え、
前記転写層は、少なくとも１つの第１カラー層を有し、
前記少なくとも１つの第１カラー層は、少なくとも１つのバインダーと、少なくとも第１顔料と、を備え、
前記第１顔料の発色は観察角度に応じて変化し、
前記少なくとも１つの第１カラー層は、前記転写層の少なくとも１つの第１エリアに存在し、前記転写層の少なくとも１つの第２エリアに存在せず、
前記転写層は、前記転写層の前記少なくとも１つの第１エリアと、前記転写層の前記少なくとも１つの第２エリアとに重なる第１補償層を有し、
前記第１補償層の前記厚さは、前記少なくとも１つの第１カラー層の厚さの１０％〜５０％の範囲であることを特徴とする。
【請求項２】
請求項１に記載の転写フィルムにおいて、
前記少なくとも１つの第１エリアは、特に、パターン、モチーフ、又は、ロゴ形式の第１情報を示すことを特徴とする。
【請求項３】
請求項１又は２に記載の転写フィルムにおいて、
少なくとも１つの第２カラー層は、前記転写層の少なくとも１つの第３エリアに存在し、前記転写層の少なくとも１つの第４エリアに存在せず、
前記転写層の前記少なくとも１つの第３エリアは、前記転写層の前記少なくとも１つの第１エリアと重なり、又は、前記転写層の前記少なくとも１つの第３エリアは、前記転写層の前記少なくとも１つの第２エリアと重ならず、
好ましくは、前記転写層は第２補償層を有し、前記転写層の前記少なくとも１つの第４エリアにおける前記第２補償層は、前記転写層の前記少なくとも１つの第３エリアにおける前記少なくとも１つの第２カラー層の厚さに少なくとも相当し、
好ましくは、前記第２補償層の厚さは、３μmから５０μmであり、好ましくは５μmから２５μmであり、更に好ましくは７μmから２０μmであることを特徴とする。
【請求項４】
請求項１〜３のいずれか１項に記載の転写フィルムにおいて、
前記第１補償層及び／又は前記第２補償層は、透明及び／又は無色であり、及び／又は、前記第１補償層及び／又は前記第２補償層は、バインダー層、特に、接着剤層として形成されることを特徴とする。
【請求項５】
請求項１〜４のいずれか１項に記載の転写フィルムにおいて、
前記転写層は、前記転写層を機械的に安定化させる少なくとも１つの第１安定層を有し、
好ましくは、前記少なくとも１つの第１安定層は、前記キャリア層と前記少なくとも１つの第１カラー層との間に配置され、又は、
前記少なくとも１つの第１安定層は、前記キャリア層と反対側の前記少なくとも１つのカラー層の側に塗布されていることを特徴とする。
【請求項６】
請求項５項に記載の転写フィルムにおいて、
前記少なくとも１つの第１安定層及び／又は前記第２安定層は、特に、化学的及び／又はＵＶ光による照射及び／又は電子ビームによる照射により架橋し、及び／又は、
前記少なくとも１つの第１安定層及び／又は前記第２安定層は、電磁照射、特にＵＶ光による照射により硬化する層であり、及び／又は、
前記少なくとも１つの第１安定層及び／又は前記第２安定層は、透明又は半透明であることを特徴とする。
【請求項７】
請求項１〜６のいずれか１項に記載の転写フィルムにおいて、
前記転写層は、前記キャリア層から前記転写層を分離させる分離層を備えることを特徴とする。
【請求項８】
請求項１〜７のいずれか１項に記載の転写フィルムにおいて、
前記転写層は、少なくとも１つの複製ニス層を有することを特徴とする。
【請求項９】
請求項８に記載の転写フィルムにおいて、
表面構造が前記転写層の少なくとも１つの第５エリアにおいて前記複製ニス層の表面に成形され、
好ましくは、前記表面構造は、前記転写層の前記少なくとも１つの第１エリアにおいて前記複製ニス層の前記表面に成形されず、又は、
前記複製ニス層の屈折率は、０．２未満、好ましくは０．１未満で前記バインダーの屈折率と異なり、及び／又は、
好ましくは、前記転写層の前記少なくとも１つの第５エリアは、パターン、モチーフ、又は、ロゴ形式の第２情報を示すことを特徴とする。
【請求項１０】
請求項１〜９のいずれか１項に記載の転写フィルムにおいて、
前記転写層は、前記転写層の少なくとも１つの第６エリアにおいて反射層を有し、前記転写層の前記少なくとも１つの第６エリアの表面被覆率は、前記転写層の全面の３０％未満、好ましくは２０％未満であり、
好ましくは、前記転写層の前記少なくとも１つの第６エリアにおける前記反射層は、前記キャリア層と反対側の前記少なくとも１つの第１カラー層の側に塗布され、及び／又は、
好ましくは、前記転写層の前記少なくとも１つの第６エリアは、パターン、モチーフ、又は、ロゴ形式の第３情報を示すことを特徴とする。
【請求項１１】
請求項１〜１０のいずれか１項に記載の転写フィルムにおいて、
前記少なくとも１つの第１カラー層は、第２顔料、特に、フレーク、タガント、及び／又は、チャームを含み、及び／又は、
前記少なくとも１つの第１カラー層は、電磁放射による照射、特に、ＵＶ光又はＩＲ光による照射の場合、人の目で視認可能な波長域、特に、４００ｎｍ〜８００ｎｍの波長域で光を発し、及び／又は、
前記転写層は、少なくとも１つの第１ゾーンに存在し、少なくとも１つの第２ゾーン（４８）には存在せず、
前記転写層の前記第１ゾーンは、パターン形成されていることを特徴とする。
【請求項１２】
フィルムへの塗布のための請求項１〜１１のいずれか１項に記載の１つ以上の転写フィルムの使用。
【請求項１３】
第１表面及び第２表面を備えるフィルムであって、
請求項１〜１１のいずれか１項に記載の１つ以上の転写フィルムは、前記１つ以上の転写フィルムの前記転写層と反対側の前記キャリア層の側で前記フィルムの前記第２表面に転写され、第２接合層は前記１つ以上の転写フィルムと前記フィルムとの間で塗布され、前記第２接合層は前記１つ以上の転写フィルムを接合し、前記第２接合層の前記接合力は、前記１つ以上の転写フィルムの前記１つ以上の転写層と前記１つ以上のキャリア層との間の接合力を超える、又は、超えないことを特徴とする。
【請求項１４】
請求項１〜１１のいずれか１項に記載の１つ以上の転写フィルムにより製造されるセキュリティドキュメントは、特に、紙幣、身分証明、ＩＤカード、チェックカード、クレジットカード、査証、証明書、ビネットであり、
好ましくは、前記１つ以上の転写フィルムの転写層）は、紙又はプラスチック、特に、ポリカーボネートからなる第１キャリア基板の表面に１つ以上配置されており、
好ましくは、前記第１キャリア基板の表面に配置された前記１つ以上の転写層は、プラスチック層、特に、ポリカーボネート層に接合、特に、積層、又は、接着されることを特徴とする。
【請求項１５】
特に、請求項１〜１１のいずれか１項に記載の転写フィルムの製造方法であって、
転写層を有するキャリア層は前記方法により設けられ、
少なくとも１つの第１カラー層は、前記キャリア層と反対側の前記転写層の側に塗布され、
前記少なくとも１つの第１カラー層は、少なくとも１つのバインダー及び少なくとも１つの第１顔料を備え、前記第１顔料の発色は視認角度に応じて変化し、
好ましくは、前記少なくとも１つの第１カラー層は、スクリーン印刷により塗布され、及び／又は、前記転写層は、前記転写層の前記少なくとも１つの第１ゾーンを規定し、前記転写層の前記少なくとも１つの第２ゾーンから前記少なくとも１つの第１ゾーンを分離する境界線に沿って、パンチングにより完全に切断されることを特徴とする。
【手続補正２】
【補正対象書類名】明細書
【補正対象項目名】０１２５
【補正方法】変更
【補正の内容】
【０１２５】
複製ニス層７０は、表面構造が熱及び圧力、スタンピング工具により成形される熱可塑性ラッカーからなる。複製ニス層７０をＵＶ架橋ラッカーにより形成することができ、表面構造をＵＶ複製により複製ニス層７０に成形することができる。表面構造は、スタンピング工具の作用により硬化していない複製ニス層に成形され、複製ニス層はＵＶ光による照射による成形中又は後に直接硬化する。
【手続補正３】
【補正対象書類名】明細書
【補正対象項目名】０１３３
【補正方法】変更
【補正の内容】
【０１３３】
図７ａ及び図７ｂは、別のフィルム１２上の転写フィルム１の使用例を示す。図７ａはフィルム１２の上面図を示し、図７ｂはフィルム１２の断面図を示す。図７ｂに示すように、１つ以上の転写フィルム１がフィルム１２に塗布されている。１つ以上の転写フィルム１は、接合層によるフィルム１２によりキャリア層１０に接合されている。分離層２４、カラー層３０、及び、補償層９０を備える転写層２０は、１つ以上の転写フィルム１のキャリア層１０に塗布されている。図７ａに示すように、フィルム１２は、矩形、線、又は、ストライプとして形成されたマーク５０を有する。マーク５０は、フィルム１２を形成するフィルムウエブの長手方向に直交する。フィルム１２に塗布された１つ以上の転写フィルム１を対象基板に塗布することができる。フィルム１２が除去されると、転写層２０は、１つ以上の転写フィルム１のキャリア層１０から分離し、転写層はフィルム１２上での配置に対応して対象基板に転写される。１つ以上の転写フィルム１のキャリア層１０はフィルム１２に残る。